(57)【要約】【課題】煩雑な操作を行うことなく、プリンタ毎に対応した印刷イメージの一覧を容易にプレビューすることを可能とする。【解決手段】プリンタ特性取得部１０３は、複数のプリンタ１１２の特性情報を取得する。プレビュー生成部１０５は、プリンタ特性取得部１０３により取得された各特性情報に基づいて、印刷データのプレビュー画像データを各プリンタ１１２に対応して生成する。表示制御部１０９は、プレビュー生成部１０５により生成されたプレビュー画像データの一覧を表示装置１１１に表示させる。【選択図】図１
2010286998.tif 000002
【特許請求の範囲】
【請求項１】
複数のプリンタの特性情報を取得する第１の取得手段と、
前記第１の取得手段により取得された各特性情報に基づいて、印刷データのプレビュー画像データを前記各プリンタに対応して生成する生成手段と、
前記生成手段により生成されたプレビュー画像データの一覧を表示装置に表示させる表示制御手段とを有することを特徴とする情報処理装置。
【請求項２】
前記複数のプリンタの印刷出力に係る設定情報を取得する第２の取得手段を更に有し、
前記生成手段は、更に前記第２の取得手段により取得された各設定情報に基づいて、印刷データのプレビュー画像データを前記各プリンタに対応して生成することを特徴とする請求項１に記載の情報処理装置。
【請求項３】
前記生成手段は、
前記第１の取得手段により取得された各特性情報に基づいて、前記各プリンタでの印刷データの印刷工程をシミュレーションするシミュレーション手段を有し、
前記シミュレーション手段によるシミュレーション結果に基づいて、前記各プリンタに対応してプレビュー画像データを生成することを特徴とする請求項１又は２に記載の情報処理装置。
【請求項４】
前記生成手段は、
前記各プリンタの出力と前記表示装置の出力との差を補正する補正手段を更に有し、
更に前記補正手段による補正結果に基づいて、前記各プリンタに対応してプレビュー画像データを生成することを特徴とする請求項３に記載の情報処理装置。
【請求項５】
複数のプリンタの特性情報を取得する取得ステップと、
前記取得ステップにより取得された各特性情報に基づいて、印刷データのプレビュー画像データを前記各プリンタに対応して生成する生成ステップと、
前記生成ステップにより生成されたプレビュー画像データの一覧を表示装置に表示させる表示制御ステップとを含むことを特徴とする情報処理方法。
【請求項６】
複数のプリンタの特性情報を取得する取得ステップと、
前記取得ステップにより取得された各特性情報に基づいて、印刷データのプレビュー画像データを前記各プリンタに対応して生成する生成ステップと、
前記生成ステップにより生成されたプレビュー画像データの一覧を表示装置に表示させる表示制御ステップとをコンピュータに実行させるためのプログラム。
【発明の詳細な説明】
【技術分野】
【０００１】
本発明は、印刷データのプレビュー画像データをプリンタ毎に表示させるための技術に関するものである。
【背景技術】
【０００２】
ディスプレイ上のコンテンツの印刷イメージを事前に確認するプレビュー表示を行うには、ユーザがプリンタ毎にコンテンツを選択してプレビュー画像を生成し表示させていた。
【先行技術文献】
【特許文献】
【０００３】
【特許文献１】特開２００６−２６８５４１号公報
【発明の概要】
【発明が解決しようとする課題】
【０００４】
しかしながら、従来の技術では、ディスプレイ上のコンテンツの印刷イメージをプレビューする操作が煩雑であり、コンテンツの印刷イメージを複数のプリンタに対応してプレビューしようとした場合に手間がかかるという問題があった。
【０００５】
そこで、本発明の目的は、煩雑な操作を行うことなく、プリンタ毎に対応した印刷イメージの一覧を容易にプレビューすることを可能とすることにある。
【課題を解決するための手段】
【０００６】
本発明の情報処理装置は、複数のプリンタの特性情報を取得する第１の取得手段と、前記第１の取得手段により取得された各特性情報に基づいて、印刷データのプレビュー画像データを前記各プリンタに対応して生成する生成手段と、前記生成手段により生成されたプレビュー画像データの一覧を表示装置に表示させる表示制御手段とを有することを特徴とする。
【発明の効果】
【０００７】
本発明は、各プリンタの特性情報に基づいて、印刷データのプレビュー画像データを各プリンタに対応して生成し、プレビュー画像データの一覧を表示させるように構成している。従って、本発明によれば、煩雑な操作を行うことなく、プリンタ毎に対応した印刷イメージの一覧を容易にプレビューすることが可能となる。
【図面の簡単な説明】
【０００８】
【図１】本発明の実施形態に係る画像表示装置の構成を示すブロック図である。
【図２】本発明の実施形態に係る画像表示装置の動作の流れを示すフローチャートである。
【図３】プレビュー画像の一例を示す図である。
【図４】プリンタ特性情報の一例を示す図である。
【図５】プリンタ設定情報の一例を示す図である。
【発明を実施するための形態】
【０００９】
以下、本発明を適用した好適な実施形態を、添付図面を参照しながら詳細に説明する。なお、以下の実施形態において示す構成は一例に過ぎず、本発明は図示された構成に限定されるものではない。
【００１０】
図１は、本発明の実施形態に係る画像表示装置の構成を示すブロック図である。図１において、１００は、本実施形態に係る画像表示装置である。１０１は印刷データである。１０２は、印刷要求受付部である。印刷要求受付部１０２は、ユーザからの印刷データ１０１に対する印刷要求を受付ける。印刷要求受付部１０２は、印刷要求を受付けると、プリンタ特性取得部１０３に通知を行う。なお、画像表示装置１００は、本発明の情報処理装置の適用例となる構成である。
【００１１】
１０３は、プリンタ特性取得部である。プリンタ特性取得部１０３は、印刷要求受付部１０２からの通知を受けると、通信部１０４を介して画像表示装置１００に接続されたプリンタ１１２の特性情報とプリンタ１１２の設定情報とを取得する。ここでプリンタ特性取得部１０３が取得するプリンタ１１２の特性情報の一例を図４に示す。また、プリンタ１１２の印刷出力に係る設定情報の一例を図５に示す。なお、プリンタ特性取得部１０３は、本発明の第１の取得手段と第２の取得手段との適用例となる構成である。
【００１２】
図４に示すプリンタ１１２の特性情報においては、電子写真系のプリンタであれば、その特性情報として、トナーの帯電特性、露光特性、現像特性、転写特性、トナーの定着特性、ドラム数、トナー種、トナー残量が含まれることが示されている。また、インクジェット系のプリンタであれば、その特性情報として、プリントヘッド特性、インク色数、インク種、インク残量が含まれることが示されている。
【００１３】
図５に示すプリンタ１１２の設定情報においては、カラー・白黒設定、用紙サイズ、用紙種類、印刷方向、フチ有り・無し、フチ大きさ、両面印刷、２ｉｎ１、印刷品質の各設定情報が含まれることが示されている。また、図５の例では、カラー・白黒設定に関して“カラー”が設定されている。用紙サイズに関して“Ａ４”が設定されている。用紙種類に関して“普通紙”が設定されている。印刷方向に関して“ランドスケープ”が設定されている。フチ有り・無しに関して“フチ有り”が設定されている。フチ大きさに関して“左右 ０．５ｃｍ／上下 ０．５ｃｍ”が設定されている。両面印刷に関して“ＯＦＦ”が設定されている。２ｉｎ１に関して“ＯＦＦ”が設定されている。印刷品質に関して“写真”が設定されている。
【００１４】
１０４は、通信部である。１０５は、プレビュー生成部である。プレビュー生成部１０５は、印刷工程シミュレーション部１０６及び出力補正部１０７で構成される。なお、プレビュー生成部１０５は、本発明の生成手段の適用例となる構成である。
【００１５】
１０６は、印刷工程シミュレーション部である。プリンタ特性取得部１０３が取得した各プリンタ１１２の特性情報及び設定情報に従い、印刷要求受付部１０２が受付けた印刷データ１０１のプレビュー画像データ（以下、プレビュー画像と称す）を、プリンタ１１２毎の印刷工程をシミュレーションして生成する。なお、印刷工程シミュレーション部１０６は、本発明のシミュレーション手段の適用例となる構成である。
【００１６】
印刷工程シミュレーション部１０６がシミュレートする印刷工程は、プリンタ１１２の種類により異なる。プリンタ１１２がインクジェット系のプリンタである場合には、図４に示すように、プリントヘッド特性、インク色数、インク種、インク残量によりインクの液滴噴出をシミュレートし、更に図５の設定情報に対応するプレビュー画像を生成する。プリンタ１１２が電子写真系のプリンタである場合には、同じく図４に示すように、トナーの帯電特性、露光特性、現像特性、転写特性、トナーの定着特性、ドラム数、トナー種、トナー残量により各工程をシミュレートし、更に図５の設定情報に対応するプレビュー画像を生成する。生成されたプレビュー画像は、出力補正部１０７へ送られる。
【００１７】
１０７は、出力補正部である。出力補正部１０７は、表示装置１１１において各プリンタ１１２での発色を再現するため、印刷工程シミュレーション部１０６により生成された各プレビュー画像に対して色補正処理を行い、カラーマッチングを行う。即ち、出力補正部１０７は、表示装置１１１と各プリンタ１１２との出力の差（出力時の色及び質感の差）を補正する。補正後のプレビュー画像は、プレビューイメージ保持部１０８に保持される。なお、出力補正部１０７は、本発明の補正手段の適用例となる構成である。
【００１８】
１０８は、プレビューイメージ保持部である。プレビュー生成部１０５で生成されたプレビュー画像を保持する。
【００１９】
１０９は、表示制御部である。表示装置１１１にプレビュー画像を表示させる。１１１は表示装置である。表示装置１１１は、例えば図３に示すプレビュー画像を表示する。１１２はプリンタである。なお、表示制御部１０９は、本発明の表示制御手段の適用例となる構成である。
【００２０】
図３は、プレビュー画像の一例を示す図である。図３において、３００は表示装置１１１に表示されるプレビュー画面である。プレビュー画面の３０１ａ、３０１ｂの位置において、画像表示装置１００に接続されたプリンタ１１２の種別が表示される。また、３０１ａ、３０１ｂに隣接した３０２ａ、３０２ｂの位置において、３０１ａ、３０１ｂで示されるプリンタ種別に対応したプレビュー画像が表示される。３０１ａに隣接した位置の３０２ａには、図５においてフチ有り・無しに関して“フチ無し”が設定された設定情報に対応するプレビュー画像が表示されている。３０２ｂに隣接した位置の３０２ｂには、図５においてフチ有り・フチ無しに関して“フチ有り”が設定された設定情報に対応するプレビュー画像が表示されている。
【００２１】
以下、図２に示すフローチャートを用いて、本実施形態に係る画像表示装置１００の動作について説明する。図２は、本実施形態に係る画像表示装置１００の動作の流れを示すフローチャートである。
【００２２】
ユーザが印刷データ１０１を選択し、印刷要求を行うと、印刷要求受付部１０２はその印刷要求を受付け、プリンタ特性取得部１０３へ通知を行う（ステップＳ２０１）。
【００２３】
プリンタ特性取得部１０３は、通信部１０４を介して画像表示装置１００に接続されたプリンタ１１２を検知する（ステップＳ２０２）。
【００２４】
プリンタ特性取得部１０３は、検知したプリンタ１１２の特性情報及び設定情報を取得する（ステップＳ２０３）。例えば、プリンタ特性取得部１０３は、図４に示す特性情報及び図５に示す設定情報をプリンタ１１２から取得する。
【００２５】
プレビュー生成部１０５は、プリンタ特性取得部１０３からの通知を受け、印刷データ１０１に対するプレビュー画像の生成を行う。ここでプレビュー生成部１０５は、プリンタ特性取得部１０３が取得したプリンタ１１２の特性情報及び設定情報を基にプレビュー画像の生成を行う。即ち、プレビュー生成部１０５は、印刷工程シミュレーション部１０６によりプリンタ１１２の印刷工程をシミュレーションする（ステップＳ２０４）。そして、プレビュー生成部１０５は、出力補正部１０７により表示装置１１１とプリンタ１１２との出力の差を補正する（ステップＳ２０５）。プレビュー生成部１０５は、ステップＳ２０４の印刷工程シミュレーション結果とステップＳ２０５の補正結果とを基にプレビュー画像を生成する（ステップＳ２０６）。
【００２６】
続いて、プリンタ特性取得部１０３は、ステップＳ２０２で検知された全てのプリンタ１１２の全てについて特性情報及び設定情報を取得したか否かを判定する（ステップＳ２０７）。未だ特性情報及び設定情報を取得していないプリンタ１１２が存在する場合には、ステップＳ２０３に戻り、特性情報及び設定情報の取得処理が行われる。一方、全てのプリンタ１１２から特性情報及び設定情報を取得した場合、処理はステップＳ２０８に移行する。
【００２７】
全てのプリンタ１１２に対するプレビュー画像が生成されると、表示制御部１０９は、全てのプリンタ１１２に対するプレビュー画像の一覧を含むプレビュー画面を構成する（ステップＳ２０８）。
【００２８】
続いて、表示制御部１０９は、構成したプレビュー画面を表示装置１１１に表示させる（ステップＳ２０９）。
【００２９】
以上のように本実施形態においては、複数のプリンタ１１２の特性情報に基づいて、印刷データ１０１のプレビュー画像を各プリンタ１１２に対応して生成し、プレビュー画像の一覧を表示させるように構成している。従って、煩雑な操作を行うことなく、プリンタ１１２毎に対応した印刷イメージの一覧を容易にプレビューすることが可能となる。
【００３０】
また、本実施形態においては、印刷データ１０１に対する各プリンタ１１２での印刷工程がシミュレーションされ、更に表示装置１１１とプリンタ１１２との出力差が補正されたプレビュー画像を生成するように構成している。従って、各プリンタ１１２での最終的な印刷結果をより考慮した画質のプレビュー画像を表示させることができる。
【００３１】
本発明の各工程は、ネットワーク又は各種記憶媒体を介して取得したソフトウエア（プログラム）をパーソナルコンピュータ等の処理装置（ＣＰＵ、プロセッサ）にて実行することでも実現できる。
【符号の説明】
【００３２】
１００  画像表示装置、１０１  印刷データ、１０２  印刷要求受付部、１０３  プリンタ特性取得部、１０４  通信部、１０５  プレビュー生成部、１０６  印刷工程シミュレーション部、１０７  出力補正部、１０８  プレビューイメージ保持部、１０９  表示制御部、１１１  表示装置、１１２  プリンタ
【図１】
2010286998.tif 000003
【図２】
2010286998.tif 000004
【図３】
2010286998.tif 000005
【図４】
2010286998.tif 000006
【図５】
2010286998.tif 000007